(57)【要約】【課題】暗渠施工後、土圧がかかって暗渠の断面形状が変形し、疎水材が押しつぶされても、所定の断面積を確保でき、排水効率を維持することのできる形態の穿孔具を備えた排水暗渠形成装置を提供する。【解決手段】ほぼ垂直状態に保持された土切りシャンク１１と土切りシャンク１１の下端に設けられた砲弾状の暗渠穿孔具１２とをブルドーザ１等の牽引手段で水平方向に牽引して地中に排水暗渠２２を形成するとともに、土切りシャンク１１および暗渠穿孔具１２に設けられた疎水材搬送路１３を経由して送給される籾殻等の疎水材を排水暗渠２２に充填する排水暗渠形成装置であり、砲弾状の暗渠穿孔具１２の、牽引方向と直角方向の断面が、縦長楕円形ないし西洋梨形等の、幅よりも高さ方向の寸法が長い非真円形状とした。これにより、暗渠形成後に、土圧により排水暗渠２２の上部がつぶされても、所定の断面積を確保できる。【選択図】  図２
2006219881.tif 000002
【特許請求の範囲】
【請求項１】
ほぼ垂直状態に保持された土切りシャンクと前記土切りシャンクの下端に設けられた砲弾状の暗渠穿孔具とを牽引手段で水平方向に牽引して地中に排水暗渠を形成するとともに、前記土切りシャンクおよび前記暗渠穿孔具に設けられた疎水材搬送路を経由して送給される疎水材を排水暗渠に充填する排水暗渠形成装置において、
前記砲弾状の暗渠穿孔具の、牽引方向と直角方向の断面が、縦長楕円形ないし西洋梨形等の、幅よりも高さ方向の寸法が長い非真円形状であることを特徴とする排水暗渠形成装置。
【請求項２】
前記暗渠穿孔具に、吸水管供給器から繰り出される吸水管の先端を連結する連結手段を設けたことを特徴とする請求項１記載の排水暗渠形成装置。
【発明の詳細な説明】
【技術分野】
【０００１】
本発明は、湿田などの高湿地において、その地中に水はけ用の暗渠を形成する装置に関する。
【背景技術】
【０００２】
湿田などの高湿地の排水性を向上させるため、排水暗渠形成装置を用いて地中に暗渠を形成することが行われている。排水暗渠形成装置は、垂直状態に保持された土切りシャンクと、土切りシャンクの下端に設けられた砲弾状の暗渠穿孔具を有し、ブルドーザやトラクタなどの牽引手段の後部に取り付けて使用され、暗渠穿孔具を下にして土切りシャンクの下半部を地中に突き立てた状態で牽引手段を前進させ土切りシャンクを水平方向に牽引していくことによって地中に排水暗渠を形成するものである。
【０００３】
また、砲弾状の暗渠穿孔具の前進によって形成された暗渠内に多孔吸水管を敷設することもある。この場合、暗渠穿孔具の後部に多孔吸水管の先端を連結し、暗渠形成装置の前進によって、暗渠形成開始地点に配置された多孔吸水管供給装置から多孔吸水管を暗渠内へ引き込んで敷設する方式、プラスチックシートを成形機で円形にしながら暗渠内へ埋設していく方式、暗渠を形成しながら籾殻などの疎水材を充填する方式、暗渠を穿孔しながら吸水管を敷き込むとともに疎水材を充填する方式などがある。
【０００４】
このような排水暗渠形成工事に使用される装置として、特許文献１に開示された排水暗渠形成装置がある。この排水暗渠形成装置を用いることにより、土中に排水暗渠を形成しながら吸水管を敷設するとともに、排水暗渠と吸水管との隙間に疎水材を充填することができる。
【０００５】
しかし、この排水暗渠形成装置では、疎水材として排水暗渠内へ充填される籾殻はホッパ内に収容され、排水暗渠形成作業の進行に伴ってホッパから順次繰り出し装置で繰り出され所定の搬送路を経由して排水暗渠内へ落とし込まれるだけであるため、排水暗渠内への籾殻の送給が連続的に行われず、搬送路の途中に詰まったり途切れたりすることがある。このため、排水暗渠内に籾殻が十分に充填されず、充填ムラや空洞などが生じることがある。
【０００６】
このように排水暗渠内への籾殻の充填が不完全であると、排水暗渠としての機能が低下し、所期の排水効果が得られない。
【０００７】
このような問題を解決するために、本出願人は先に、特許文献２において、土中に排水暗渠を形成するとともに、この排水暗渠内への疎水材充填をスムーズかつ確実に行うことのできる排水暗渠形成装置を開示した。
【０００８】
その排水暗渠形成装置は、垂直状態に保持された土切りシャンクと土切りシャンクの下端に設けられた砲弾状の暗渠穿孔具を牽引手段で水平方向に牽引して地中に排水暗渠を形成するとともに、土切りシャンクおよび暗渠穿孔具に設けられた疎水材搬送路を経由して送給される疎水材を排水暗渠内に充填する装置であり、高圧気体発生機から供給される高圧気体を管状体内に噴出させて気体流を発生させるエアー搬送ノズルを疎水材搬送路に連通させたものである。
【０００９】
この排水暗渠形成装置では、高圧気体発生機から高圧気体をエアー搬送ノズルへ供給すると、管状体内に噴出した気体によって気体流が発生し、この気体流は、当該エアー搬送ノズルの後方に連通された疎水材搬送路内を一方向へ流れていくとともに、エアー搬送ノズルの前方には、この気体流で発生する負圧によって吸引力が生じる。したがって、この吸引力を利用して、エアー搬送ノズルの前方から疎水材を吸引し、疎水材搬送路内を流れる気体流に疎水材をのせて運び、排水暗渠内に充填することができる。
【００１０】
【特許文献１】特開昭５６−１５６３１０号公報
【特許文献２】特開２００２−１６７７４３号公報
【発明の開示】
【発明が解決しようとする課題】
【００１１】
しかしながら、特許文献２において記載されている従来の排水暗渠形成装置においては、土切りシャンクに設けられる砲弾状の穿孔具の断面形状は円形である。図１１は従来工法による問題点を示すもので、（ａ）は暗渠施工直後の排水暗渠の断面図、（ｂ）は土圧によりつぶされた状態の排水暗渠の断面図である。断面形状が円形の穿孔具を用いて排水暗渠を施工すると、施工直後は、図１１（ａ）に示すように暗渠４０の断面は円形であるが、時間がたつと土圧の影響で、暗渠４０上部の疎水材４１が押しつぶされて、図１１（ｂ）に示すように、暗渠４０の上部がつぶれた形となり、疎水材４１の充填部分の断面積が小さくなり、排水効率の低下を生じる。
そこで本発明は、暗渠施工後、土圧がかかって暗渠の断面形状が変形し、疎水材が押しつぶされても、所定の断面積を確保でき、排水効率を維持することのできる形態の穿孔具を備えた排水暗渠形成装置を提供することを目的とする。
【課題を解決するための手段】
【００１２】
前記課題を解決するため、本発明の排水暗渠形成装置は、ほぼ垂直状態に保持された土切りシャンクと前記土切りシャンクの下端に設けられた砲弾状の暗渠穿孔具とを牽引手段で水平方向に牽引して地中に排水暗渠を形成するとともに、前記土切りシャンクおよび前記暗渠穿孔具に設けられた疎水材搬送路を経由して送給される疎水材を排水暗渠に充填する排水暗渠形成装置において、前記砲弾状の暗渠穿孔具の、牽引方向と直角方向の断面が、縦長楕円形ないし西洋梨形等の、幅よりも高さ方向の寸法が長い非真円形状であることを特徴とする。
【００１３】
本発明においては、暗渠穿孔具を下にして土切りシャンクの下半部を地中に突き立てた状態でブルドーザやトラクタなどの牽引手段を前進させ、土切りシャンクを水平方向に牽引すると、土切りシャンクに設けられている砲弾状の暗渠穿孔具の断面形状と同じ断面形状の暗渠が形成される。このとき、暗渠穿孔具の断面は、幅よりも高さ方向の寸法が長い非真円形状であるので、暗渠施工後、土圧がかかって暗渠の断面形状が変形し、疎水材が押しつぶされても、所定の断面積を確保することができる。
【００１４】
前記暗渠穿孔具に、吸水管供給器から繰り出される吸水管の先端を連結する連結手段を設けることができる。これにより、暗渠形成と同時に吸水管を排水暗渠内に敷設でき、排水暗渠内に流入する水を外部に排出することができる。
【発明の効果】
【００１５】
本発明によれば、砲弾状の暗渠穿孔具の断面が幅よりも高さ方向の寸法が長い非真円形状であるので、暗渠施工後、土圧がかかって暗渠の断面形状が変形し、疎水材が押しつぶされても、所定の断面積を確保でき、排水効率を維持することができる。
【発明を実施するための最良の形態】
【００１６】
以下、本発明の実施の形態を、図面を参照して説明する。
（実施の形態１）
図１は本発明の実施の形態１に係る排水暗渠形成装置の非作業状態を示す側面図、図２は本発明の実施の形態１に係る排水暗渠形成装置の作業状態を示す側面図、図３は図１に示す排水暗渠形成装置の一部切欠背面図、図４は図２に示す排水暗渠形成装置の一部切欠背面図、図５（ａ）は本発明の実施の形態１に係る排水暗渠形成装置を構成する土切りシャンクおよび暗渠形成具を示す側面図、（ｂ）は同背面図、（ｃ）は（ａ）におけるＡ−Ａ断面図、（ｄ）は（ｂ）におけるＢ−Ｂ断面図、図６は本発明の実施の形態１に係る排水暗渠形成装置の要部断面図、図７（ａ）は暗渠施工直後の排水暗渠の断面図、（ｂ）は土圧によりつぶされた状態の排水暗渠の断面図である。
【００１７】
本実施の形態の排水暗渠形成装置１０は、牽引手段であるブルドーザ１の後方に、リンク機構２および油圧シリンダ３により昇降可能に取り付けて使用されるものであり、ほぼ垂直状態に保持された土切りシャンク１１と、土切りシャンク１１の下端に設けられた砲弾状の暗渠穿孔具１２と、土切りシャンク１１および暗渠穿孔具１２に設けられた疎水材の搬送路１３と、コンプレッサ１５と、疎水材である籾殻１６を収容するホッパ１７と、ホッパ１７の排出口２３と搬送路１３との間に連通状態に配置されたエアー搬送ノズル１８を備え、コンプレッサ１５からエアー搬送ノズル１８へ高圧空気を送給するための送気管１９が設けられている。土切りシャンク１１の前方は、暗渠形成時の地中での抵抗を少なくするため刃状のブレード１１ａとなっている。また、暗渠穿孔具１２は、図５（ｂ）に示すように、断面形状が西洋梨状となっている。
【００１８】
また、図６に示すように、ホッパ１７の底部には籾殻１６を排出口２３に向かって送り出すスクリューコンベア２４と、これを回転駆動する油圧モータ２５が配置される。エアー搬送ノズル１８としては、例えばコアンダスパイラルフロー発生器を用いることができる。
【００１９】
本実施の形態の排水暗渠形成装置１０は、非作業時には図１および図３に示すように、油圧シリンダ３により上昇位置で保持されている。作業時には、油圧シリンダ３を作動させて排水暗渠形成装置１０を下降させ、図２および図４に示すように、暗渠穿孔具１２を下にして土切りシャンク１１の下半部を地盤２１に突き立てた状態にして、ブルドーザ１を前進させることにより、地盤２１中に排水暗渠２２を形成していくとともに、ホッパ１７内からエアー搬送ノズル１８および搬送路１３を経由して送給される籾殻１６を排水暗渠２２内に充填する。
【００２０】
上述したように、暗渠穿孔具１２は、断面形状が西洋梨状となっているので、暗渠形成直後は、図７（ａ）に示すように、地盤２１には暗渠穿孔具１２と土切りシャンク１１の外形と同様な穴が形成されるが、土切りシャンク１１の外形の細い穴は、土圧によりつぶされて消滅し、図７（ｂ）に示すようにほぼ西洋梨状の排水暗渠２２が地盤２１中に残る。
【００２１】
（実施の形態２）
次に、図８〜図１０を参照して、本発明の実施の形態２の排水暗渠形成装置３０について説明する。図８は本発明の実施の形態２に係る排水暗渠形成装置の使用状態を示す側面図、図９は本発明の実施の形態２に係る排水暗渠形成装置の作業状態の拡大断面図、図１０は本発明の実施の形態２に係る排水暗渠形成装置により施工された排水暗渠の断面図である。なお、本実施の形態において、前述した実施の形態１の排水暗渠形成装置１０と同様の構造、機能を有する部材については、図１〜図７と同じ符号を付して説明を省略する。
【００２２】
本実施の形態の排水暗渠形成装置３０においては、弾丸状の暗渠穿孔具３１の後方に連結部材３３が設けられ、排水暗渠３２の形成開始端３２Ｓ付近に配置された吸水管供給機３４から引き出された吸水管３６の先端が連結補助具３５を介して連結部材３３に連結されている。
【００２３】
したがって、土切りシャンク１１を前進させ暗渠穿孔具３１によって形成された排水暗渠３２内に吸水管３６を引き込みながら敷設するとともに、エアー搬送ノズル（図示せず）および搬送路１３を経由して送給される籾殻を吸水管３６と排水暗渠３２との隙間に充填していくことができる。なお、その他の部分の構造、機能などについては前述した排水暗渠形成装置１０と同様である。
【００２４】
本実施の形態においても、暗渠穿孔具３１は、断面形状が西洋梨状となっているので、暗渠形成直後は、図１０に示すように、地盤２１には暗渠穿孔具３１と土切りシャンク１１の外形と同様な穴が形成されるが、土切りシャンク１１の外形の細い穴は、土圧によりつぶされて消滅し、実施の形態１と同様に、ほぼ西洋梨状の排水暗渠３２が地盤２１中に残る。
【産業上の利用可能性】
【００２５】
本発明は、疎水材が押しつぶされても、所定の断面積を確保でき、排水効率を維持することのできる形態の穿孔具を備えた排水暗渠形成装置として、湿田などの高湿地における暗渠形成工事に利用することができる。
【図面の簡単な説明】
【００２６】
【図１】本発明の実施の形態１に係る排水暗渠形成装置の非作業状態を示す側面図である。
【図２】本発明の実施の形態１に係る排水暗渠形成装置の作業状態を示す側面図である。
【図３】図１に示す排水暗渠形成装置の一部切欠背面図である。
【図４】図２に示す排水暗渠形成装置の一部切欠背面図である。
【図５】（ａ）は本発明の実施の形態１に係る排水暗渠形成装置を構成する土切りシャンクおよび暗渠形成具を示す側面図、（ｂ）は同背面図、（ｃ）は（ａ）におけるＡ−Ａ断面図、（ｄ）は（ｂ）におけるＢ−Ｂ断面図である。
【図６】本発明の実施の形態１に係る排水暗渠形成装置の要部断面図である。
【図７】（ａ）は暗渠施工直後の排水暗渠の断面図、（ｂ）は土圧によりつぶされた状態の排水暗渠の断面図である。
【図８】本発明の実施の形態２に係る排水暗渠形成装置の使用状態を示す側面図である。
【図９】本発明の実施の形態２に係る排水暗渠形成装置の作業状態の拡大断面図である。
【図１０】本発明の実施の形態２に係る排水暗渠形成装置により施工された排水暗渠の断面図である。
【図１１】従来工法による問題点を示すもので、（ａ）は暗渠施工直後の排水暗渠の断面図、（ｂ）は土圧によりつぶされた状態の排水暗渠の断面図である。
【符号の説明】
【００２７】
１  ブルドーザ
２  リンク機構
３  油圧シリンダ
１０  排水暗渠形成装置
１１  土切りシャンク
１１ａ  ブレード
１２  暗渠穿孔具
１３  搬送路
１５  コンプレッサ
１６  籾殻（疎水材）
１７  ホッパ
１８  エアー搬送ノズル
１９  送気管
２１  地盤
２２  排水暗渠
２３  排出口
２４  スクリューコンベア
２５  モータ
３０  排水暗渠形成装置
３１  暗渠穿孔具
３２  排水暗渠
３２Ｓ  形成開始端
３３  連結部材
３４  吸水管供給機
３５  連結補助具
３６  吸水管
【図１】
2006219881.tif 000003
【図２】
2006219881.tif 000004
【図３】
2006219881.tif 000005
【図４】
2006219881.tif 000006
【図５】
2006219881.tif 000007
【図６】
2006219881.tif 000008
【図７】
2006219881.tif 000009
【図８】
2006219881.tif 000010
【図９】
2006219881.tif 000011
【図１０】
2006219881.tif 000012
【図１１】
2006219881.tif 000013